(57)【特許請求の範囲】
【請求項１】
半導体ウエハを分割予定ラインに沿って割断し、複数の半導体チップに分割する半導体ウエハの割断方法において、
表面に前記ウエハを全面吸着する連続した吸着平面を持ち、裏面にはチップサイズに応じて間隔を空けて区画化された複数のブロックを持ち、前記吸着平面上に各ブロックに対応して該各ブロックの領域内に配置された吸気孔を持ち、前記吸着平面全体が一枚の板からなる真空吸着台に、前記ウエハを載せ置く工程と、
前記真空吸着台の吸着平面を減圧して前記ウエハを前記各ブロック領域内の該吸着平面に全面吸着する工程と、
前記吸着平面に沿って吸着させた前記ウエハを前記真空吸着台ごと折り曲げるように撓ませ、前記分割予定ラインで一様に前記ウエハを割断する工程と、
からなる半導体ウエハの割断方法。
【請求項２】
半導体ウエハを分割予定ラインに沿って割断し、複数の半導体チップに分割する半導体ウエハの割断方法において、
前記ウエハの裏面に対してエキスパンド可能な弾性保護フィルムを貼り付ける工程と、
表面に前記ウエハを全面吸着する連続した吸着面を持ち、裏面にはチップサイズに応じて間隔を空けて区画化された複数のブロックを持ち、前記吸着平面上に各ブロックに対応して該ブロックの領域内に配置された吸気孔を持ち、前記吸着平面全体が一枚の板からなる真空吸着台に前記ウエハを載せ置く工程と、
前記弾性保護フィルムを貼り付けた前記ウエハを、前記真空吸着台に平面的に吸着する工程と、
前記吸着平面に沿って吸着させた前記ウエハを前記真空吸着台ごと折り曲げるように撓ませて、前記分割予定ラインに沿って一様に前記ウエハを割断する工程と、
割断後、前記弾性保護フィルムに張力をかけて前記複数の半導体チップに離間する工程と、
からなることを特徴とする半導体ウエハの割断方法。
【請求項３】
上記弾性保護フィルムが通気性を有するフィルムでなることを特徴とする請求項２記載の半導体ウエハの割断方法。
【請求項４】
半導体ウエハを分割予定ラインに沿って割断し、複数の半導体チップに分割する半導体ウエハの割断装置において、
減圧して前記ウエハを全面吸着する連続した吸着平面を有する吸着板を持ち、前記吸着板の裏側に設けられ、チップサイズに応じて間隔を空けて配された複数個のブロックを持ち、前記吸着平面上には各ブロックに対応して該各ブロックの領域内に配置された吸気孔が設けられ、前記吸着平面全体が一枚の板からなる真空吸着台と、
前記ウエハを前記吸着平面に沿って吸着保持した前記真空吸着台を折り曲げるように撓ませて該ウエハの割断を行う真空吸着台撓ませ機構と、
を備えることを特徴とする半導体ウエハの割断装置。
【請求項５】
半導体ウエハを分割予定ラインに沿って割断し、複数の半導体チップに分割する半導体ウエハの割断装置において、
減圧して前記ウエハを全面吸着する連続した吸着平面を持ち、該吸着平面の裏側には該ウエハの切断予定ライン位置に対応して一定の深さまで形成された複数本の溝を持ち、前記吸着面上には前記溝に区画されると共にチップサイズに応じて間隔を空けて配された複数のブロックに対応して各ブロックの領域内に配置された吸気孔を持ち、前記吸着平面全体が一枚の板からなる真空吸着台と、
前記ウエハを前記吸着平面に沿って吸着保持した前記真空吸着台を折り曲げるように撓ませて該ウエハの割断を行う真空吸着台撓ませ機構と、
を備えることを特徴とする半導体ウエハの割断装置。
【請求項６】
上記半導体ウエハは、エキスパンド可能な弾性保護フィルムを貼り付けたウエハであることを特徴とする請求項４または５記載の半導体ウエハの割断装置。
【請求項７】
上記弾性保護フィルムは、通気性を有するフィルムでなることを特徴とする請求項６記載の半導体ウエハの割断装置。
【発明の詳細な説明】
【技術分野】
【０００１】
本発明は半導体ウエハの割断方法及び割断装置に関するものであり、特に、各チップ間に改質部ないしは亀裂により分割予定ラインが設けられた半導体ウエハを、その分割予定ラインに沿って割断し、複数の半導体チップに分割する半導体ウエハの割断方法及び割断装置に関するものである。
【背景技術】
【０００２】
一般に、半導体デバイス製造分野においては、略円板形状である半導体ウエハを、該半導体ウエハの表面に格子状に形成された分割予定ライン(これを「ストリート」とも言う)により複数個に区画し、その区画された複数の領域内にＩＣ、ＬＳＩ等のデバイスを形成し、該デバイスが形成された各領域を分割予定ラインに沿って割断し、分割して切り離すことにより個々の半導体チップを製造している。このようにして分割された半導体チップは、パッケージングされて携帯電話やパソコン等の電気機器に広く利用されている。
【０００３】
また、従来、半導体ウエハを、分割予定ラインに沿って割断し、個々の半導体チップに分割する加工装置としては、例えば特許文献１〜特許文献４等が知られている。
【０００４】
特許文献１で知られる加工装置は、研削研磨後のウエハにレーザー光を照射し、ウエハ内部に改質領域を形成する改質領域形成手段と、ウエハ裏面にダイシングテープを貼着してウエハをフレームにマウントするテープマウント手段と、ダイシングテープのエキスパンドを行い、ウエハの各チップ間の間隔を拡張するエキスパンド手段等を備えた構成となっている。
【０００５】
ここで、一般に、レーザー光により切断の起点となる改質領域をもつウエハは、ダイシングテープのエキスパンドによって割断されるのであるが、この際に応力として作用するのは、引っ張り応力である。引張応力で物体を割断する場合、通常、割断の際に非常に大きな応力が必要となる。シリコン等の脆性材料によるウエハ等の場合では、引っ張り応力よりも、曲げ応力を与えた方が、ウエハを割る応力として小さくて済むのであるが、エキスパンドでウエハを割る場合には、割るための過剰な応力が必要となる。
【０００６】
また、エキスパンドするダイシングフィルムに貼り付けたウエハを引っ張り応力で割り、それぞれのチップを離間させる場合において、エキスパンドするダイシングフィルム内でチップが離間させるために、フィルム内で伸びる部分と、ウエハを接着力で保持するため、伸びない部分が存在する。こうした伸びる部分や伸びない部分等、フィルム全体で必ずしも完全に均質ではないために、本来割断したいところが十分に伸びきらず、結果的に割断できずに一部引っ付いた状態で残る場合もある。特に、ウエハ面内で割れに時間的なギャップがある場合等は、割れた部分はフィルムが伸びやすくなり、そのフィルムが伸びた部分で、フィルムにかけられた引っ張り応力が消費されることになる。一方、局所的にウエハが割れてフィルムが一部先に伸びると、まだウエハが割れていないところに十分な引っ張り応力がかからず、やはりチップ同士が引っ付いたままで残るという事態が発生する。
【０００７】
さらに、こうした事象はフィルム面内の伸びやすさや伸びにくさに起因して起こるだけでもない。ウエハをフィルムで固定するのであるが、これは簡易の接着によって固定されている。ウエハが割れて離間する部分は、フィルムが伸びてウエハとずれを生じることから、この接着はチップ周囲で剥がれるのであるが、このウエハとフィルムを貼り付ける接着材やその強度も均質であるとは限らない。部材であるが故に、必ず一定のばらつきは持っているものである。その際、ウエハとフィルムが局所的に強固に接着している部分は、フィルムが伸びにくくなるため、ウエハが割断しにくくチップに分割されにくいが、弱く接着している部分はフィルムが伸びて割断されやすくなる場合がある。しかし、あまりに弱く接着しているときには、いくつかのウエハチップが一緒になって、フィルムから浮き上がる場合もある。こうした場合は、例えフィルムだけが伸びたとしてもフィルムの伸びがウエハチップ間の引っ張り応力として伝わらず、結果的に一部チップが割断できないという問題が依然として残る。
【０００８】
また、エキスパンドして割る場合、通常エキスパンドするための弾性テープ材料を使用し、それを伸ばして使用することから、当然ウエハを支える部材として、ウエハを強固に固定したリジッドな部材ではない。
【０００９】
したがって、そうした弾性材料上でウエハを引っ張り応力で割る際には、ウエハが割れる瞬間に一部に局所的な振動が発生する。その局所的に発生した振動は、ウエハ面内を伝播するが、これを微視的に見れば本来ウエハが割れてほしくないところまで局所振動の伝播の仕方によって割れてしまう場合が度々発生する。ウエハを強固に固定して本来の切断ラインに応力が集中するようにしてから、応力を付与すれば、こうした誤った割れ方をしないのであるが、弾性フィルム上で弾性フィルムを引っ張って割る場合には、ウエハが割れた瞬間に弾性フィルムが上下に波打ち、誤って割れるのである。
【００１０】
次に、特許文献２における半導体ウエハの分割加工方法は、特許文献１のような単純な引っ張り応力とは異なり、半導体ウエハを概略、次の手順(１)〜(４)のようにして複数個の半導体チップに分割している。
【００１１】
(１)まず、表面に分割予定ラインが設けられている半導体ウエハを、環状フレームの内側に張設してなるエキスパンド可能な弾性保護フィルム上に、その裏面側を下側に向けて載せ、かつ、該弾性保護フィルムに貼り付けて固定し、該半導体ウエハと該弾性保護フィルムを一体化する。
【００１２】
(２)次いで、半導体ウエハと弾性保護フィルムが取り付けられた環状フレームを、ウエハ割断装置のフレーム載置台上にセットする。その後、上部先端部に球面状の押圧面を有する押圧部材を下側から上昇させて、該押圧部材の押圧面を弾性保護フィルムの下面に当接させ、かつ、突き上げて該弾性保護フィルムを押圧する。その結果、半導体ウエハの裏面には弾性保護フィルムを伸長させる応力と弾性保護フィルムを介して半導体ウエハを折り曲げる荷重が作用し、この折り曲げ荷重が分割予定ラインに作用して、該半導体ウエハが該分割予定ラインの部分で割断し、複数個の半導体チップに分割される。
【００１３】
(３)また、押圧部材がさらに押し上げられると、弾性保護フィルムが大きく伸長され、各半導体チップ同志の間に隙間が作られて互いに離間し、個々に分離される。
【００１４】
(４)その後、押圧部材が下降されると、弾性保護フィルムは伸長されたまま、各半導体チップの間に隙間が設けられた状態で保持される。
【００１５】
この場合、球面状の押圧面を有する押圧部材を下側から上昇させると、ウエハを折り曲げる荷重が作用し、前記特許文献１における引っ張り応力だけで割る場合とは、曲げ応力が多少作用する意味では異なる。しかしながら、ウエハをフィルムに貼り、このフィルムに貼り付けられたウエハを球面状の押圧面で下側から上昇させて分割する方法では、最初に球面状の押圧面と接する部分はウエハの内側であるので、内側から先に割れ、順に外側に割れるようになる。しかし、内側の弾性フィルムが伸びることによって、フィルムの伸びに対する耐性が損なわれ、外側には有効にフィルムが伸びなくなる。
【００１６】
また、ウエハの内側が先に割れ、既に割れたチップが傾くことで、ウエハ外周部で球面状の押圧面に倣わせようとしても、一部倣わず、ウエハが完全に割断できなくなる場合が存在する。
【００１７】
さらに、フィルムそのものも完全に均質なフィルムというものは存在せず、多かれ少なかれ伸びやすさの方向の異方性が存在する。このため、球面状押圧面を下側から上昇させたとしても、フィルムそのものの伸びやすさのばらつきにより、球面状押圧面からフィルムの伸びやすい方向にフィルムがずれ、ウエハ面内が一様なフィルムの伸びと、ウエハ各所における一様な曲げ応力を与えることができない。
【００１８】
また、フィルムに貼られたウエハの場合、フィルムは伸びやすいが、ウエハはほとんど伸びない。よって、フィルムは、展延性がある一方、自身に平面の姿勢を維持するほどの剛性はなく、単にウエハに貼り付けられているだけであり、ウエハの姿勢は、ウエハ自身によって決まる。
【００１９】
また、フィルムの下の押圧部材と、フィルムは吸着しておらず、単に接触して押し上げているだけである。よって、面同士を全面吸着により密着させ、強制的に押圧部材の面形状に一致するように倣わせるというほどの矯正手段は持たない。こうした場合、特許文献２にあるようにウエハを薄くして割りやすくしている構成においては、この程度で十分割ることは可能であるが、ウエハが厚い場合、ウエハ剛性が高い材料である場合、ないしは、ウエハに形成した切断起点が非常に小さい場合などにおいては、十分ではない。
【００２０】
また、図８(ａ)に示すように、剛性のある基台１０１にウエハ１０２が密着していない場合、割れる直前のウエハ状態として、切断予定ライン１０３の近傍(図中、符号１０４で示す部分)が基台１０１から浮き上がり、切断予定ライン近傍に急峻な曲げ応力Ｆが作用せず、応力Ｆが緩和されることになる。
【００２１】
さらに、押圧部材をウエハ裏面から押圧してウエハ１０２を一様に曲げようとする場合、切断予定ライン以外においても、少なからず曲げ応力が作用する。切断予定ライン以外にあらかじめ小さな欠陥があった場合、時としてその小さな欠陥を起点として切断予定ライン以外の部分が割れることも想定される。
【００２２】
以上から、理想的には、図８(ｂ)に示すように、基台１０１にウエハ１０２が密着していて、切断予定ライン１０３には局所的かつ急峻な曲げ応力Ｆが作用しつつも、切断予定ライン以外の部分は、ほとんど曲げ応力が作用しないことが望ましい。しかしながら、特許文献２はその様な構成ではない。
【００２３】
次に、特許文献３は、ウエハ割断予定線部分を局部的に吸引して、割断予定線部分に曲げ応力を発生させ、この曲げ応力で割断することを開示している。しかし、特許文献３に開示される割断方法では、真空吸引の局部的な応力をウエハ割断の曲げ応力として利用する場合において、ウエハの一部割れた場合の衝撃波がウエハ面内を伝播する際に、必ずしもウエハ割断予定線部分を通るとは限らない。真空吸引によって、急激な局部応力がウエハに係るために、割れた瞬間に、その振動の伝播によって割断予定ラインから逸れた部分を割ることが想定される。
【００２４】
また、ウエハを真空に引いて割る際に、ウエハ全面を吸着支持しているのではなく、割るための局所応力を与えるための手段として真空を使用している。したがって、ウエハの割断予定線のごく周辺は、吸着支持されておらず、下に支持が無い状態である。すなわち、ウエハをリジッドに固定した状態ではなく、半分浮かせた形態になっている。こうした場合、ウエハ割断予定ラインに曲げ応力が集中するとも限らず、先に述べたようなウエハが割断する際にウエハ面内を伝播する曲げ応力によって、全く想定外の部分が割れるという問題が発生することがある。
【００２５】
さらには、ウエハが割れる際、局所的な曲げ応力が割断予定線部分に集中すればよいが、ウエハ裏面に支持が無いような場合、裏面支持が無い全体において、ウエハが曲がるための空間的な余地が存在することになる。この場合、割断予定線部分に応力を集中させようとして曲げたとしても、その付近の割断予定線のすぐ脇の部分においても、ウエハが局所的に曲げられることになるから、割断予定線に応力を集中させ、少ない曲げ応力で効率よく割ることができなくなる。
【００２６】
また、さらに真空に引くことで、その局所空間で生じる差圧で曲げ応力を発生させる場合、曲げ応力を付与する際に、曲げの変位を与える変位量や、変位を与えるための速度を厳密に制御することはできない。そして、曲げ応力を割断予定線部分に集中させて精度よく割断するためには、過度な変位や、その過度な変位を急激な速度で与えることは、割断予定線以外のウエハが脆くなっている部分にまで、割れを発生することにもなりかねない。また、ウエハを割ることに対するウエハに所定の変位を与えることと、その変位を与えることに対する時間的な制御を行うことは実質的に不可能である。
【００２７】
次に、特許文献４においても、同様に、ウエハ割断予定線近くはウエハが完全に固定されていないため、割断予定線付近においてウエハが曲げられる空間的余地が生まれる。その結果、曲げ応力を割断予定線部分に集中させることができないことから、効率よく、かつ精度よく割ることができなくなる。
【先行技術文献】
【特許文献】
【００２８】
【特許文献１】特開２００７−２１４４５７号公報
【特許文献２】特許第４４９４７２８号公報。
【特許文献３】特開２００６−３４４９１０号公報
【特許文献４】特許３２７６５０６号公報
【発明の開示】
【発明が解決しようとする課題】
【００２９】
しかしながら、上述した従来における半導体ウエハを分割する方法では、押圧部材の押圧面を弾性保護フィルムの下面に押し当て、弾性保護フィルムと半導体ウエハに曲げ加工を施す分割作業と、弾性保護フィルムを伸長させて半導体チップ同志を引き離す分離作業を、同時に行うようにしているため、大きな応力を必要としていた。このため、装置が大型化するという問題点があった。
【００３０】
また、押圧部材により曲げ加工を施す際、押圧部材の上部押圧面に対する弾性保護フィルムの密着性が悪く、弾性保護フィルム及び半導体ウエハが押圧部材の押圧面から離れて該半導体ウエハと該押圧面の間に隙間ができ、この隙間によって押圧部材から弾性保護フィルム及び半導体ウエハに付与される曲げ応力が分散する。この曲げ応力の分散は、分割予定ラインでの分割面の切断に悪い影響を与え、分割面にバリ等を発生させることがある。このため、バリを除去する処理作業が必要となり、作業コストを増加させ、さらに大きな応力も必要とするので、装置も大型化するという問題点があった。
【００３１】
そこで、本発明はこのような事情に鑑みてなされたものであり、比較的小さい応力で効率よくチップを割断して、ウエハを貼り付けているダイシングフィルムの弾性のばらつきや、そのエキスパンドする際の異方性のばらつき、及び、ウエハとフィルムの密着性のばらつきによるチップの分割ミスをなくし、また、ウエハ割断の際に、ウエハに曲げ応力を生むための一定の変位量を制御された速度で与えて、割断するための応力を局所的に集中させるようにすることにより、ウエハ面内には曲げ応力を与えず、安定したチップの割断及びチップの分割・離間を可能とする半導体ウエハの割断方法及び割断装置を提供するために解決すべき技術的課題が生じてくるのであり、本発明はこの課題を解決することを目的とする。
【課題を解決するための手段】
【００３２】
本発明は、上記目的を達成するために提案されたものであり、請求項１記載の発明は、半導体ウエハを分割予定ラインに沿って割断し、複数の半導体チップに分割する半導体ウエハの割断方法において、表面に前記ウエハを全面吸着する連続した吸着平面を持ち、裏面にはチップサイズに応じて間隔を空けて区画化された複数のブロックを持ち、前記吸着平面上に各ブロックに対応して該各ブロックの領域内に配置された吸気孔を持ち、前記吸着平面全体が一枚の板からなる真空吸着台に、前記ウエハを載せ置く工程と、前記真空吸着台の吸着平面を減圧して前記ウエハを前記各ブロック領域内の該吸着平面に全面吸着する工程と、前記吸着平面に沿って吸着させた前記ウエハを前記真空吸着台ごと折り曲げるように撓ませ、前記分割予定ラインで一様に前記ウエハを割断する工程と、からなる半導体ウエハの割断方法を提供する。
【００３３】
この方法によれば、分割予定ラインが設けられている半導体ウエハを、例えばエキスパンド可能な弾性保護フィルム上に貼り付け、半導体ウエハと該弾性保護フィルムを一体化するとともに、これを真空吸着台上に配置し、かつ、該真空吸着台で吸着して固定する。次に、該半導体ウエハ及び該弾性保護フィルムを真空吸着固定している真空吸着台に、真空吸着台撓ませ機構により撓み力を付与すると、チップサイズに応じて間隔を空けて区画化されている複数個のブロック間の部分で真空吸着台の吸着面全体が撓み、この撓みにより半導体ウエハも撓んで折り曲げられ、該半導体ウエハが分割予定ラインを起点として割断される。
【００３４】
これにより、従来のような引っ張り応力によることなく、比較的小さい曲げ応力で効率よくチップを割断することができる。
【００３５】
また、吸着板のウエハ吸着面と反対側に切断予定ライン位置に対応して設けた溝の部分が撓むことによって、吸着板の撓み剛性はチップ面内で大きくなり、チップ面内はほとんど撓まず、各チップ間の分割予定ラインにおいては大きく撓むことになる。その結果、分割予定ラインだけに応力が局所的に集中し効率よくウエハを割断することが可能となる。
【００３６】
また、ウエハはあらかじめ吸着板に吸着されることにより、ウエハに反りがあっても、吸着板に平面矯正される。ここで、ウエハは吸着板に完全に密着しているため、ウエハの撓みは吸着板の撓みに完全に追従し、吸着板と一体的に変形する。
【００３７】
従来は、ウエハが凸状の押圧体に押し上げられる機構であっても、吸着台に密着していないため、曲げの力が働くと、ウエハが曲率をもつ台の形状に倣わず局所的に浮き上がり、その浮き上がりにより、局所的に曲げ応力が緩和されて割れにくくなるということがあった。しかし、本構成の場合、ウエハは基本的に真空吸着台に密着しているため、ウエハが真空吸着台とともに撓む過程において、ウエハの局所的な浮き上がりは抑制され、真空吸着台の撓み形状に強制的に完全に追従するようになる。そのため、ウエハ分割予定ラインに応力が集中し、正確にウエハを割断することが可能となる。
【００３８】
また、連続した吸着板の撓みによって、ウエハに撓み応力を与えることができるため、大きなウエハ面であっても、ほぼ同時にウエハ面に対して撓み応力を与えることが可能となる。
【００３９】
また、チップが割断されて実質的に個々に分断されるものの、吸着板は、一枚の連続した板であるため、面内でチップ間が別機構に固定されて、相互に相対位置が変化してしまうという余地もない。
【００４０】
また、エキスパンドフィルムのように展延性があって相互の位置関係が狂う要素もない。連続した吸着板が平面状態から撓むことにより、ウエハチップ間の相対位置が移動することなく割断できる。
【００４１】
また、ウエハを貼り付けているダイシングフィルムの弾性のばらつきや、そのエキスパンドする際の異方性のばらつき、ウエハとフィルムの密着性のばらつきによって、チップの分割性能が変化することなく、ウエハに一様な曲げ応力を発生するための変位を与えることが可能となる。
【００４２】
さらに、そのウエハへ与える曲げ応力を生むための一定の変位量を、同時にウエハを支持する吸着台の面を同時を撓ませることで、同時に与えることができる。
【００４３】
また、その一定の変位量を、制御された速度で与えることが可能であるため、切断予定ラインに応力を集中させながら割ることが可能となる。
【００４４】
さらに、ウエハを真空で吸着しているため、ウエハは剛体である真空吸着台に密着支持され、割断付近のウエハ変位は完全に抑制されるために、割断するための応力は局所的に集中することになる。
【００４５】
また、ウエハを割った後に接着台に固定すると、それから採り剥がすのが大変であるが、真空吸着でウエハを支持して曲げた後、それを元の水平な姿勢に戻して真空をＯＦＦして大気開放するだけで、接着剤を除去する等の手間もなくなり、割れたウエハをテープに貼り付けられた状態で簡便に、取り外すことが可能となる。
【００４６】
また、上記目的を達成するために、請求項２記載の発明は、半導体ウエハを分割予定ラインに沿って割断し、複数の半導体チップに分割する半導体ウエハの割断方法において、前記ウエハの裏面に対してエキスパンド可能な弾性保護フィルムを貼り付ける工程と、表面に前記ウエハを全面吸着する連続した吸着面を持ち、裏面にはチップサイズに応じて間隔を空けて区画化された複数のブロックを持ち、前記吸着平面上に各ブロックに対応して該ブロックの領域内に配置された吸気孔を持ち、前記吸着平面全体が一枚の板からなる真空吸着台に前記ウエハを載せ置く工程と、前記弾性保護フィルムを貼り付けた前記ウエハを、前記真空吸着台に平面的に吸着する工程と、前記吸着平面に沿って吸着させた前記ウエハを前記真空吸着台ごと折り曲げるように撓ませて、前記分割予定ラインに沿って一様に前記ウエハを割断する工程と、割断後、前記弾性保護フィルムに張力をかけて前記複数の半導体チップに離間する工程と、からなる半導体ウエハの割断方法を提供する。
【００４７】
この方法によれば、分割予定ラインが設けられている半導体ウエハを、例えばエキスパンド可能な弾性保護フィルム上に貼り付け、半導体ウエハと該弾性保護フィルムを一体化するとともに、これを真空吸着台上に配置し、かつ、該真空吸着台で吸着して固定する。次に、該半導体ウエハ及び該弾性保護フィルムを真空吸着固定している真空吸着台に、真空吸着台撓ませ機構により撓み力を付与すると、ウエハの切断予定ライン位置に対応して形成されている各溝の部分で真空吸着台の吸着面全体が撓み、この撓みにより半導体ウエハも撓んで折り曲げられ、該半導体ウエハが分割予定ラインを起点として割断される。これにより、従来のような引っ張り応力によることなく、比較的小さい曲げ応力で効率よくチップを割断することができる。
【００４８】
これにより、従来のような引っ張り応力によることなく、比較的小さい曲げ応力で効率よくチップを割断することができる。
【００４９】
また、吸着板のウエハ吸着面と反対側に切断予定ライン位置に対応して設けた溝の部分が撓むことによって、吸着板の撓み剛性はチップ面内で大きくなり、チップ面内はほとんど撓まず、各チップ間の分割予定ラインにおいては大きく撓むことになる。その結果、分割予定ラインだけに応力が局所的に集中し効率よくウエハを割断することが可能となる。
【００５０】
また、ウエハはあらかじめ吸着板に吸着されることにより、ウエハに反りがあっても、吸着板に平面矯正される。ここで、ウエハは吸着板に完全に密着しているため、ウエハの撓みは吸着板の撓みに完全に追従し、吸着板と一体的に変形する。
【００５１】
従来は、ウエハが凸状の押圧体に押し上げられる機構であっても、吸着台に密着していないため、曲げの力が働くと、ウエハが曲率をもつ台の形状に倣わず局所的に浮き上がり、その浮き上がりにより、局所的に曲げ応力が緩和されて割れにくくなるということがあった。しかし、本構成の場合、ウエハは基本的に真空吸着台に密着しているため、ウエハが真空吸着台とともに撓む過程において、ウエハの局所的な浮き上がりは抑制され、真空吸着台の撓み形状に強制的に完全に追従するようになる。そのため、ウエハ分割予定ラインに応力が集中し、正確にウエハを割断することが可能となる。
【００５２】
また、連続した吸着板の撓みによって、ウエハに撓み応力を与えることができるため、大きなウエハ面であっても、ほぼ同時にウエハ面に対して撓み応力を与えることが可能となる。
【００５３】
また、チップが割断されて実質的に個々に分断されるものの、吸着板は、一枚の連続した板であるため、面内でチップ間が別機構に固定されて、相互に相対位置が変化してしまうという余地もない。
【００５４】
また、エキスパンドフィルムのように展延性があって相互の位置関係が狂う要素もない。連続した吸着板が平面状態から撓むことにより、ウエハチップ間の相対位置が移動することなく割断できる。
【００５５】
また、ウエハを貼り付けているダイシングフィルムの弾性のばらつきや、そのエキスパンドする際の異方性のばらつき、ウエハとフィルムの密着性のばらつきによって、チップの分割性能が変化することなく、ウエハに一様な曲げ応力を発生するための変位を与えることが可能となる。
【００５６】
さらに、そのウエハへ与える曲げ応力を生むための一定の変位量を、同時にウエハを支持する吸着台の面を同時を撓ませることで、同時に与えることができる。
【００５７】
また、その一定の変位量を、制御された速度で与えることが可能であるため、切断予定ラインに応力を集中させながら割ることが可能となる。
【００５８】
さらに、ウエハを真空で吸着しているため、ウエハは剛体であるウエハチャックに密着支持され、割断付近のウエハ変位は完全に抑制されるために、割断するための応力は局所的に集中することになる。
【００５９】
また、ウエハを割った後に接着台に固定すると、それから採り剥がすのが大変であるが、真空吸着でウエハを支持して曲げた後、それを元の水平な姿勢に戻して真空をＯＦＦして大気開放するだけで、接着剤を除去する等の手間もなくなり、割れたウエハをテープに貼り付けられた状態で簡便に、取り外すことが可能となる。
【００６０】
また、上記目的を達成するために、請求項３記載の発明は、上記弾性保護フィルムが通気性を有するフィルムでなる半導体ウエハの割断方法を提供する。
【００６１】
この方法によれば、真空吸着台に真空吸着された弾性保護フィルムは、その通気性により、真空吸着台に対して多少の移動が可能となり、弾性保護フィルムにシワを作ることなく密着した状態で吸着保持される。
【００６２】
本発明は上記目的を達成するために提案されたものであり、請求項４記載の発明は、半導体ウエハを分割予定ラインに沿って割断し、複数の半導体チップに分割する半導体ウエハの割断装置において、減圧して前記ウエハを全面吸着する連続した吸着平面を有する吸着板を持ち、前記吸着板の裏側に設けられ、チップサイズに応じて間隔を空けて配された複数個のブロックを持ち、前記吸着平面上には各ブロックに対応して該各ブロックの領域内に配置された吸気孔が設けられ、前記吸着平面全体が一枚の板からなる真空吸着台と、前記ウエハを前記吸着平面に沿って吸着保持した前記真空吸着台を折り曲げるように撓ませて該ウエハの割断を行う真空吸着台撓ませ機構と、を備える半導体ウエハ割断装置を提供する。
【００６３】
この構成によれば、請求項１，２または３記載の上記半導体ウエハの割断方法を容易に実施することが可能になる。
【００６４】
また、上記目的を達成するために、請求項５記載の発明は、半導体ウエハを分割予定ラインに沿って割断し、複数の半導体チップに分割する半導体ウエハの割断装置において、減圧して前記ウエハを全面吸着する連続した吸着平面を持ち、該吸着平面の裏側には該ウエハの切断予定ライン位置に対応して一定の深さまで形成された複数本の溝を持ち、前記吸着面上には前記溝に区画されると共にチップサイズに応じて間隔を空けて配された複数のブロックに対応して各ブロックの領域内に配置された吸気孔を持ち、前記吸着平面全体が一枚の板からなる真空吸着台と、前記ウエハを前記吸着平面に沿って吸着保持した前記真空吸着台を折り曲げるように撓ませて該ウエハの割断を行う真空吸着台撓ませ機構と、を備える半導体ウエハの割断装置を提供する。
【００６５】
この構成によれば、請求項１，２または３記載の上記半導体ウエハの割断方法を容易に実施することが可能になる。
【００６６】
また、上記目的を達成するために、請求項６記載の発明は、上記半導体ウエハは、エキスパンド可能な弾性保護フィルムを貼り付けたウエハである、半導体ウエハの割断装置を提供する。
【００６７】
この構成によれば、弾性保護フィルムによる貼り付けで、半導体ウエハを一体に取り扱うことができ、請求項１，２または３記載の上記半導体ウエハの割断方法をさらに容易に実施することが可能になる。
【００６８】
また、上記目的を達成するために、請求項７記載の発明は、上記弾性保護フィルムは、通気性を有するフィルムでなる半導体ウエハの割断装置を提供する。
【００６９】
この構成によれば、真空吸着台に真空吸着された弾性保護フィルムは、その通気性により、真空吸着台に対して多少の移動が可能となり、弾性保護フィルムにシワを作ることなく密着した状態で吸着保持される。これにより、請求項１，２または３記載の上記半導体ウエハの割断方法をさらに容易に実施することが可能になる。
【発明の効果】
【００７０】
発明によれば、比較的小さい応力で効率よくチップを割断して、ウエハを貼り付けているダイシングフィルムの弾性のばらつきや、そのエキスパンドする際の異方性のばらつき、及び、ウエハとフィルムの密着性のばらつきによるチップの分割ミスをなくすことができる。また、ウエハ割断の際に、ウエハに曲げ応力を生むための一定の変位量を制御された速度で与えて、割断するための応力を局所的に集中させるようにすることができ、安定したチップの割断及びチップの分割・離間を可能とすることができる。さらに、装置の小形化と、バリ取り作業等を軽減化して作業性の向上が図れる。
【図面の簡単な説明】
【００７１】
【図１】本発明に係るウエハの割断方法の一実施例を説明する工程図。
【図２】ウエハの一例を示す斜視図。
【図３】ウエハを弾性保護フィルムに貼り付けた状態を示す斜視図。
【図４】ウエハ割断装置の要部概略平面図。
【図５】図４のＡ−Ａ線断面を示し、(ａ)は突き出し及び回動体を下降させた状態で示す図で、(ｂ)は突き出し及び回動体を上昇させた状態で示す図、(ｃ)は突き出し及び回動体を下降させ、かつ、半導体チップ離間部材を上昇させた状態で示す図。
【図６】真空吸着台の一変形例を示す平面図。
【図７】図６に示した真空吸着台の説明図で、(ａ)，(ｂ)はシリンダ操作がＯＦＦのときの図、(ｃ)はシリンダ操作がＯＮのときの図。
【図８】従来の半導体チップ分離・離間装置の問題点を説明する図。
【発明を実施するための最良の形態】
【００７２】
本発明は、小さな曲げ応力で、かつ分割時に綺麗な分割面を得ることができるようにするという目的を達成するために、半導体ウエハを分割予定ラインに沿って割断し、複数の半導体チップに分割する半導体ウエハの割断方法において、表面に前記ウエハを全面吸着する連続した吸着平面を持ち、裏面にはチップサイズに応じて間隔を空けて区画化された複数のブロックを持ち、前記吸着平面上に各ブロックに対応して該各ブロックの領域内に配置された吸気孔を持ち、前記吸着平面全体が一枚の板からなる真空吸着台に、前記ウエハを載せ置く工程と、前記真空吸着台の吸着平面を減圧して前記ウエハを前記各ブロック領域内の該吸着平面に全面吸着する工程と、前記吸着平面に沿って吸着させた前記ウエハを前記真空吸着台ごと折り曲げるように撓ませ、前記分割予定ラインで一様に前記ウエハを割断する工程と、を含むようにしたことにより実現した。
【実施例】
【００７３】
以下、本発明のウエハの割断方法について、添付図面を参照して説明する。
【００７４】
図１は、半導体ウエハとしてのシリコンウエハを個々の半導体チップに分割するための本発明を実施するための分割工程を示す図である。本実施例の割断方法では、半導体ウエハの裏面に対してエキスパンド可能な弾性保護フィルムを貼り付ける工程Ｓ１と、表面に前記ウエハを全面吸着する吸着平面を持ち、裏面にチップサイズに応じて区画化されたブロックを有してなる真空吸着台上に、前記ウエハを載せ置く工程Ｓ２と、前記弾性保護フィルムを貼り付けた前記ウエハを前記真空吸着台に吸着する工程Ｓ３と、吸着させた前記ウエハを前記真空吸着台ごと撓ませて、前記分割予定ラインに沿って一様に前記ウエハを割断する工程S４と、割断後、前記弾性保護フィルムに張力をかけて前記複数の半導体チップに離間する工程S５を経て、半導体ウエハから個々の半導体チップを形成するようになっている。
【００７５】
次に、その各工程について詳細に説明する。まず、本実施例で使用する半導体ウエハ１０は、図２に示すように平行に形成された表裏面を有している。該半導体ウエハ１０の表面側には、格子状に配列された複数の分割予定ライン１１，１１…が設けられている。そして、該分割予定ライン１１により、半導体ウエハ１０の表面側が格子状をした複数の領域に区画されており、この区画された各領域にそれぞれ半導体チップ１２，１２…を形成するＩＣ、ＬＳＩ等の機能素子を設けている。なお、ここでの分割予定ライン１１は、レーザー加工により形成された改質部ないしは亀裂であり、半導体ウエハ１０を容易に割断することが出来るようにして設けられているが、これ以外の手段により形成される場合もある。
【００７６】
そして、分割予定ライン１１が形成された半導体ウエハ１０は、前記工程Ｓ１において、図３に示すように、弾性保護フィルム１３上に、その裏面を下側に向けて載せ、その半導体ウエハ１０の裏面を弾性保護フィルム１３上に貼り付けて固定する。この貼着固定は、例えば半導体ウエハ１０の裏面と弾性保護フィルムの間を加熱しつつ、該半導体ウエハ１０を弾性保護フィルム１３上に押圧して貼着する、あるいは半導体ウエハ１０の裏面と弾性保護フィルムの間に接着剤を介在させて脱着固定する等の手段が適宜採用される。
【００７７】
また、該弾性保護フィルム１３は、例えば厚さが約７０μｍのシート状のフィルムであり、常温では伸縮性を有し、所定温度（例えば７０℃）以上の熱によって収縮する性質を有するポリ塩化ビニル（ＰＶＣ）、ポリプロピレン、ポリエチレン、ポリオレフィン等の合成樹脂シートで、かつ、通気性が得られる構成となっている。
【００７８】
前記工程Ｓ１において半導体ウエハ１０が取り付けられた前記弾性保護フィルム１３は、図４及び図５に示すように、半導体ウエハ割断装置１４上に移動される。
【００７９】
前記半導体ウエハ割断装置１４は、前記工程Ｓ２〜工程Ｓ５を処理するための装置であり、前記弾性保護フィルム１３を張った状態で脱着可能に固定するための前後(Ｙ軸方向)と左右(Ｘ軸方向)に各々配設されるフィルム固定保持部材１５，１５，１５，１５と、該フィルム固定保持部材１５，１５，１５，１５で囲まれた領域の内側に配設された真空吸着台１６と、該真空吸着台１６を支持している真空吸着台支持部材１７と、前記真空吸着台１６を撓ませる真空吸着台撓ませ機構１８と、前記弾性保護フィルム１３に張力をかけて複数の半導体チップに離間する半導体チップ離間部材１９等で構成されている。
【００８０】
前記真空吸着台１６は、前記半導体ウエハ１０を取り付けた前記弾性保護フィルム１３を載せて、該弾性保護フィルム１３を介して前記半導体ウエハ１０を全面吸着する板状の連続した吸着面２０ａを表面側に有した吸着板部２０を備えている。また、該吸着板部２０の裏面側には、前記半導体ウエハ１０の分割予定ライン１１の位置に対応して一定深さまで形成された複数本の溝２１，２１…を設けて、チップサイズに応じた間隔を空けて区画された複数個のブロック２２，２２…が前記吸着板部１９と一体に設けられている。なお、図４では、理解を容易にするため、前記溝１１，１１…及びブロック２２，２２…は、実線で示しているが、実際には図５に示すように、吸着板部２０の裏面側に設けられているものである。
【００８１】
前記真空吸着台１６は、可撓性を有し、通常は図５(ａ)に示すように水平面状をなして保持されているが、図５(ｂ)に示すように真空吸着台撓ませ機構１８により持ち上げられると、上方に膨出した状態に撓むようになっている。
【００８２】
さらに詳述すると、前記吸着板部１９の上面(以下、「吸着面」という)には、前記ブロック２２，２２…に対応して複数個の吸気孔２３，２３…が設けられている。各吸気孔２３，２３…は、図示せぬパイプ材を介して真空引き装置に接続されており、該真空引き装置が吸引操作されると、該吸気孔２３，２３…から空気を吸い込み、前記吸着板部２０の吸着面２０ａを減圧して該吸着面２０ａに前記弾性保護フィルム１３を介して前記半導体ウエハ１０を吸着保持できるようになっている。なお、本実施例では、半導体ウエハ１０が載せ置きされる部分以外の箇所に設けられた吸気孔２３，２３…(図中、黒塗りした孔)は孔を塞いだ状態にしている。
【００８３】
前記真空吸着台撓ませ機構１８は、断面蒲鉾状をした押圧台２４と、該押圧台２４を上下動並びに９０度回転操作する突き出し及び回動体２５とで構成されている。
【００８４】
前記半導体チップ離間部材１９は、前記フィルム固定保持部材１５と前記真空吸着台支持部材１７との間で、通常は前記フィルム固定保持部材１５に張られた前記弾性保護フィルム１３の位置よりも下側に配置されている。また、該半導体チップ離間部材１９は上下動可能で、上方に移動されると、前記フィルム固定保持部材１５に張られた前記弾性保護フィルム１３に引っ張り力を与えて、該弾性保護フィルム１３の全体をＸ−Ｙ方向に引き延ばすことができるようになっている。
【００８５】
次に、前記半導体ウエハ割断装置１４の動作を、図１に示した処理工程Ｓ１〜Ｓ５に従って、図４及び図５と共に説明する。
【００８６】
前記半導体ウエハ割断装置１４は、半導体ウエハ１０の割断処理が行われていないとき、前記吸着板部２０での真空引きは停止されており、また半導体チップ離間部材１９は下方に移動している。
【００８７】
そして、前記工程Ｓ１の処理でエキスパンド可能な前記弾性保護フィルム１３の貼り付けを終えた半導体ウエハ１０は、該弾性保護フィルム１３の四辺を前記フィルム固定保持部材１５，１５，１５，１５で固定し、図５(ａ)に示すように前記真空載置台１６の吸着板部２０上にセットする(工程Ｓ２)。
【００８８】
次いで、前記吸着板部２０での真空引きが開始される。真空引きが開始されると、吸着面２０ａ上が減圧され、これに伴って同じく図５(ａ)に示すように前記弾性保護フィルム１３が吸着面２０ａの全面に吸着保持される(工程Ｓ３)。
【００８９】
続いて、前記吸着板部２０での真空引きを行った状態で、真空吸着台撓ませ機構１８が駆動される。そして、突き出し及び回動体２５が押圧台２４と共に上方に突き出す。これにより、押圧台２４がブロック２２の下面に当接して突き上げる。また、前記真空載置台１６全体が下側から突き上げられると、該真空載置台１６が前記弾性保護フィルム１３と共に上方に突出し、全体が蒲鉾状に湾曲変形する。このとき弾性保護フィルム１３上に貼り付けられている半導体ウエハ１０も上方に突出されて蒲鉾状に湾曲変形される。この湾曲により、半導体ウエハ１０が分割予定ライン１１を基点として、該分割予定ライン１１に沿ってx軸方向(またはy軸)側が折り曲げられ、この折り曲げによりx軸に沿う側が半導体チップ１２，１２…毎に割断される。また、x軸方向(またはy軸方向)側の折り曲げによる割断が終わったら、前記突き出し及び回動体２５を前記押圧台２４と共に下方に戻す。図５(ｃ)はこの状態を示している。
【００９０】
次いで、前記突き出し及び回動体２５を該押圧台２４と共に９０度回転させ、その後、再び突き出し及び回動体２５を押圧台２４と共に上方に突き出し、前記半導体ウエハ１０を前記弾性保護フィルム１３と共に蒲鉾状に湾曲変形させる。この湾曲により、半導体ウエハ１０が分割予定ライン１１を基点として、該分割予定ライン１１に沿ってy軸方向(またはx軸方向)側が折り曲げられ、この折り曲げによりy軸に沿う側が半導体チップ１２，１２…毎に割断される。また、x軸方向(またはy軸)側の折り曲げによる割断が終わったら、前記突き出し及び回動体２５を前記押圧台２４と共に下方に戻す。これにより、x軸に沿う側とy軸に沿う側が割断される。すなわち、前記割断工程Ｓ４の処理が行われることになる。
【００９１】
なお、このように弾性保護フィルム１３が真空載置台１６に吸着保持されている状態で蒲鉾状に湾曲されて分割処理された場合では、半導体ウエハ１０は真空載置台１６と一体化されていて該真空載置台１６から浮き上がらないので、曲げ応力は各分割予定ライン１１の部分に集中することになる。したがって、基台に弾性保護フィルム１３を吸着しないで曲げて割断する従来の方法に比べて、分割するための曲げ応力は小さくて済み、また割断面にバリ等を作ることなく綺麗に分割することができる。
【００９２】
また、前記割断工程Ｓ４の処理が終了し、前記突き出し及び回動体２５が前記押圧台２４と共に下方に戻されると、前記押圧台２４は前記真空載置台１６と離れた初期位置に下降され、図５(ｃ)に示すように真空載置台１６も水平な状態に復帰される。
【００９３】
工程Ｓ４による半導体ウエハの割断処理が終了したら、次に、前記半導体チップ離間部材１９が上方に移動され、前記フィルム固定保持部材１５に張られた前記弾性保護フィルム１３の下側に前記半導体チップ離間部材１９が突き当てられて該弾性保護フィルム１３に引っ張り力を与え、該弾性保護フィルム１３の全体をＸ−Ｙ方向に引っ張って延ばす。これにより、各半導体チップ１２，１２…が互いに大きく離間し、個々の半導体チップ１２，１２…に分割され、また前記半導体チップ離間部材１９も下方の所定の位置に戻される。すなわち、前記分離・離間工程Ｓ５の処理が終了する。工程Ｓ５の終了後、前記弾性保護フィルム１３は半導体チップ１２と共に前記フィルム固定保持部材１５から取り外される。
【００９４】
なお、前記弾性保護フィルム１３を伸長させて各半導体チップ１２，１２…間に形成された隙間は、前記弾性保護フィルム１３の張力を取り除いた後も維持される。そして、このように分割処理された半導体ウエハ１０では、各半導体チップ１２，１２…の間に弾性保護フィルム１３が伸長されてなる隙間を有して離間されているので、個々の半導体チップ１２，１２同士が接触することはなく、搬送時等において半導体チップ１２，１２…同士が接触して損傷するのを防止することができる。
【００９５】
また、半導体ウエハ割断装置１４は、真空吸着台撓ませ機構１８において、押圧台２４と突き出し及び回転体２５を使用せずに、例えば図６に示すように、エアシリンダ２６とエアシリンダ２７と、該エアシリンダ２６の動作を受けて真空載置台１６をｘ軸方向に撓ませ、該真空載置台１６をｘ軸に沿って上方に膨出させるｘ軸制御部材２８と、該エアシリンダ２７の動作を受けて真空載置台１６をｙ軸方向に撓ませ、該真空載置台１６をｙ軸に沿って上方に膨出させるｙ軸制御部材２９を設けた構成としてもよい。
【００９６】
図７は、図６に示す真空吸着台撓ませ機構１８の動作を説明する図である。すなわち、この真空吸着台撓ませ機構の構造では、前記エアシリンダ２６(または２７)が引き動作していない場合、前記真空載置台１６は同図(ａ)，(ｂ)に示すように平面状をなしている。そして、前記エアシリンダ２６(または２７)が引き動作されると、前記真空載置台１６に符号Ｆで示すような曲げ力発生し、該真空載置台１６の全体が上方に膨出した状態に撓み変形し、この撓み変形で前記弾性保護フィルム１３を半導体ウエハ１０と共に撓ませ、半導体ウエハ１０の割断処理を行う。
【００９７】
なお、前記エアシリンダは、エアシリンダ２６またはエアシリンダ２７の一方だけ設け、前記真空載置台１６上に載置された弾性保護フィルム１３及び半導体ウエハ１０を、前記フィルム固定保持部材１５と共に９０度回転させて割断処理を行ってもよい。また、前記真空載置台１６上に前記半導体ウエハ１０を位置決めして載せ置きするための位置決め皿３０を設けてもよい。
【００９８】
さらに、上記実施例では、真空載置台１６が、吸着板部２０とブロック２２を一体に形成してなる構造を開示したが、吸着板部２０とブロック２２を別体に形成して一体化した構造であってもよい。
【００９９】
また、本発明は、上述したように本発明の精神を逸脱しない限り種々の改変を為すことができ、そして、本発明が該改変されたものに及ぶことは当然である。
【産業上の利用可能性】
【０１００】
以上説明したように、本発明は半導体ウエハを分割する以外にも、プリント配線基板等を分割する装置にも応用できる。
【符号の説明】
【０１０１】
１０      半導体ウエハ
１１      分割予定ライン
１２      半導体チップ
１３      弾性保護フィルム
１４      半導体ウエハ割断装置
１５      フィルム固定保持部材
１６      真空載置台
１７      真空吸着台支持部材
１８      真空吸着台撓ませ機構
１９      半導体チップ離間部材
２０      吸着板部
２０ａ    吸着面
２１      溝
２２      ブロック
２３      吸気孔
２４      押圧台
２５      突き出し及び回動体
２６      エアシリンダ
２７      エアシリンダ
２８      ｘ軸制御部材
２９      ｙ軸制御部材
３０      位置決め皿
【図１】
0005695427.tif 000002
【図２】
0005695427.tif 000003
【図３】
0005695427.tif 000004
【図４】
0005695427.tif 000005
【図５】
0005695427.tif 000006
【図６】
0005695427.tif 000007
【図７】
0005695427.tif 000008
【図８】
0005695427.tif 000009